(57)【要約】  【課題】  ファンを設置することなく、表示部および駆動回路部の発熱を効率良く排出して大型化を容易にする。  【解決手段】  バックライト装置２の背面に駆動回路部６を配置した液晶テレビ１において、前記バックライト装置２と前記駆動回路部６との間に前記バックライト装置２および前記駆動回路部６と密接して平板状の支持金具７を配置し、該支持金具７の下方に金属製のスタンド９を配置し、前記支持金具７の下端左右２箇所で水平方向の支軸１２，１３により前記支持金具７の前後方向の回動を自在に連結金具１４に軸着し、連結金具１４の左右方向中央で前記スタンド９に垂直方向の支軸８により水平方向の回動を自在に軸支する。【選択図】  図１
2006235424.tif 000002
【特許請求の範囲】
【請求項１】
本体の前後方向中間に下方へ貫通して金属製の伝熱板を配設し、該伝熱板の下端に金属製のスタンドを連結したことを特徴とする薄型表示装置。
【請求項２】
表示パネル部の後方に薄型表示装置の駆動回路部を配置した薄型表示装置において、
前記表示パネル部と前記駆動回路部との間に前記表示パネル部および前記駆動回路部と密接されて配置された平板状の金属製支持金具と、
該支持金具の下方に配置された金属製のスタンドと、
前記支持金具の下端左右２箇所で水平方向の支軸により前記支持金具の前後方向の回動を自在に軸着されるとともに、左右方向中央で前記スタンドに垂直方向の支軸により水平方向の回動を自在に軸支された金属製の連結金具と、
を備えたことを特徴とする薄型表示装置。
【請求項３】
表示パネル部の後方にバックライト装置と薄型表示装置の駆動回路部を配置した薄型表示装置において、
前記バックライト装置と前記駆動回路部との間に前記バックライト装置および前記駆動回路部と密接されて配置された平板状の金属製支持金具と、
該支持金具の下方に配置された金属製のスタンドと、
前記支持金具の下端左右２箇所で水平方向の支軸により前記支持金具の前後方向の回動を自在に軸着されるとともに、左右方向中央で前記スタンドに垂直方向の支軸により水平方向の回動を自在に軸支された金属製の連結金具と、
を備えたことを特徴とする薄型表示装置。
【請求項４】
請求項１乃至３のいずれかに記載の薄型表示装置において、
前記スタンドは前記垂直方向支軸部分から斜め下方放射状に延設された３本以上の金属製の脚により形成されたことを特徴とする薄型表示装置。
【請求項５】
請求項４に記載の薄型表示装置において、
前記脚の表面に放熱フィンを突設したことを特徴とする薄型表示装置。
【請求項６】
請求項４または５に記載の薄型表示装置において、
前記脚に放熱用の孔を形成したことを特徴とする薄型表示装置。
【発明の詳細な説明】
【技術分野】
【０００１】
本発明は、液晶テレビ等の薄型表示装置に関し、詳しくは表示パネル部や制御回路部の発熱を効率良く排出することのできる放熱構造を備えた薄型表示装置に関する。
【背景技術】
【０００２】
近年、液晶テレビ、ＰＤＰ等の薄型表示装置は、大型化傾向にある。大型化に伴い、画面サイズの拡大、音声出力の増大により、消費電力が増すことで、表示装置内部の発熱量が増し、その結果、内部温度が上昇し、基板上部品の熱暴走のおそれや画質の低下という問題が発生してきた。その対策として、キャビネット内の高温空気を強制換気するために排気ファンを取り付けることがあった。しかしながら、排気ファンを取り付けると、キャビネット内にホコリがたまり、さらには、風切り音による騒音、消費電力が増大する等の問題が新たに発生した。そこでキャビネット内の高温対策を施したものとして、従来、特許文献１および特許文献２に記載の「表示装置」がある。特許文献１の「表示装置」は、内部の発熱を効率良く排出するために、フレームの上端に放熱フィンを設けたものである。特許文献２の「表示装置」は、表示パネルの発熱をシャーシに伝熱させてから空気に放熱するように構成したものである。
【特許文献１】特開平７−３２２１７１号公報
【特許文献２】特開平１１−２３７８４４号公報
【発明の開示】
【発明が解決しようとする課題】
【０００３】
しかしながら、上述した特許文献１の「表示装置」は、放熱フィンの設置位置がフレームの頂部であるので、ＰＤＰの発熱やフレーム内の信号ユニットの発熱により高温になった空気が上昇して、上部の放熱フィンに伝わってから外部に排出されるという過程を経るため、表示装置の内部の少なくとも上部分は、高温に晒されるという課題があった。また、特許文献２の「表示装置」は、アルミ等の熱伝導性の良い材質からなるシャーシを用いたことで表示パネルの発熱を効率よく排出できるものの、内部で高温になった空気を強制排気するためファンが必要であり、騒音やホコリの吸い込みの問題は解決できない。そこで、これらの問題に対して、本発明は、ファンを設置することなく、表示部および回路部の発熱を効率良く排出できて大型化を容易にする薄型表示装置を提案することを目的とした。
【課題を解決するための手段】
【０００４】
上記課題を解決するために、本発明に係る薄型表示装置は、本体の前後方向中間に下方へ貫通して金属製の伝熱板を配設し、該伝熱板の下端に金属製のスタンドを連結したことを特徴とする。
詳しくは、表示パネル部の後方に薄型表示装置の駆動回路部を配置した薄型表示装置において、前記表示パネル部と前記回路部との間に前記表示パネル部および前記回路部と密接されて配置された平板状の金属製支持金具と、該支持金具の下方に配置された金属製のスタンドと、前記支持金具の下端左右２箇所で水平方向の支軸により前記支持金具の前後方向の回動を自在に軸着されるとともに、左右方向中央で前記スタンドに垂直方向の支軸により水平方向の回動を自在に軸支された金属製の連結金具とを備えることを特徴とする。
また、表示パネル部の後方にバックライト装置と薄型表示装置の駆動回路部を配置した薄型表示装置において、前記バックライト装置と前記駆動回路部との間に前記バックライト装置および前記駆動回路部と密接されて配置された平板状の金属製支持金具と、該支持金具の下方に配置された金属製のスタンドと、前記支持金具の下端左右２箇所で水平方向の支軸により前記支持金具の前後方向の回動を自在に軸着されるとともに、左右方向中央で前記スタンドに垂直方向の支軸により水平方向の回動を自在に軸支された金属製の連結金具とを備えることを特徴とする。なお、前記スタンドは前記垂直方向支軸部分から斜め下方放射状に延設された３本以上の金属製の脚により形成することが好ましい。
また、前記脚の表面に放熱フィンを突設することが好ましい。
さらに、前記脚に放熱用の孔を形成することが好ましい。
【発明の効果】
【０００５】
以上述べたように本発明によれば、薄型表示装置の本体内に伝熱機能を有する金属部材を配置し、その下端に金属製のスタンドを連結したことで、本体内の表示パネルおよび駆動回路部の発熱が伝熱部材を介して下方のスタンドへ伝達されて効率よく外気に排出されるようになり、排気ファン等を設置することなく、また良好な画質を保持したままで、薄型表示装置を大型化することが可能となる。
【発明を実施するための最良の形態】
【０００６】
以下、図に基づいて本発明の実施形態を説明する。
図１は本発明を液晶テレビに適用した第１の実施形態の主要部を示す縦断面透視図であり、図２は液晶テレビ本体の主要部を示す縦断面透視図であり、図３は液晶テレビの後キャビネットを外した状態の主要部分の背面透視図であり、図４は液晶テレビ本体の主要部を示す下面透視図であり、図５は支持金具を単体で示した上面図、正面図および下面図であり、図６は支持金具の回動範囲を示す側面図であり、図７は支持金具をスタンドに取り付けた状態を示す側面図である。
【０００７】
図１〜図４に示されるように、液晶テレビ１の略中央部分にはバックライト装置２が配置され、その前方には液晶パネル３が配置され、液晶パネル３の周囲が前キャビネット４に支持され、前キャビネット４の周囲が後キャビネット５に接合され、ビスにより締結されている。後キャビネット５の内部には、基板等からなる液晶テレビの駆動回路部６が収納されている。バックライト装置２と駆動回路部６との間には、金属板からなる支持金具７が配設され、バックライト装置２と駆動回路部６は、ビスにより支持金具７に締結されている。支持金具７の下端には金属製の垂直支軸８が垂設されており、この垂直支軸８が金属製のスタンド９の穴に嵌入されることで、液晶テレビ１は水平方向の回動を可能にしてスタンド９により支持される。スタンド９は、３本の金属製の脚を斜め下方へ放射状に延設して構成されている。なお、図１中の１５は液晶テレビ１を壁掛けにより支持する場合の接続金具である。
【０００８】
支持金具７は、図３および図５に示されるように、金属板からなる垂直板１１と、垂直板１１の下端部に金属製の水平支軸１２，１３を介して連結された金属製の連結金具１４と、連結金具１４の中央下面に垂設された金属製の垂直支軸８とから構成されている。垂直板１１には、複数の取付孔１１ａが形成されてバックライト装置２と駆動回路部６がビスにより締結される。垂直板１１は両側が液晶テレビ１の後方向へコ字形に折曲されて、その折曲部が水平支軸１２，１３を介して、箱型をした連結金具１４に軸着されている。この水平支軸１２，１３により、垂直板１１は前後方向への回動が可能となる。図６は、垂直板１１の回動範囲を示している。この垂直板１１が前後方向へ回動することにより、液晶テレビ１の画面の角度を上下に調節することが可能となる。
【０００９】
液晶テレビ１がこのように構成されたことで、液晶テレビ１の点灯中に、バックライト装置２および駆動回路部６で発生した熱は、支持金具７の垂直板１１に伝達されて下方へ伝導されていき、順に水平支軸１２，１３、連結金具１４、垂直支軸８、スタンド９に伝達されていく。表面積が大きくて外気にさらされているスタンド９に伝達された熱は、スタンド９の表面から外気に効率よく排出される。その結果、液晶テレビ１に排気ファン等を設置することなく、また良好な画質を保持したままで、液晶テレビ１を大型化することが可能となる。
【００１０】
また、このように液晶テレビ１内に形成された伝熱経路における熱排出量を大きくするためには、支持金具７およびスタンド９の材質を熱伝導性の良いものにすることが好ましいし、垂直板１１を広くするとともに各部の肉厚を厚くしておくことが好ましい。また、水平支軸１２，１３および垂直支軸８の嵌合部分には、グリスやシリコンオイルを注入して、隙間がないようにしておくことが好ましい。さらには、図示しないが、スタンド９の表面に放熱フィンを突設したり、スタンド９を貫通して孔を形成しておくことが好ましい。
【００１１】
次に、第２の実施形態について説明する。この第２の実施形態が上述した第１の実施形態と異なる点は、支持金具およびスタンドの構造が一部異なる点である。図８は第２の実施形態における支持金具およびスタンドの一部を分解して示した上面図、正面図および下面図であり、図９は同じく支持金具およびスタンドを示す側面図である。支持金具２１は、図８に示されるように、金属板からなる垂直板２２と、垂直板２２の下端部に金属製の水平支軸２３，２４を介して連結された金属製の連結金具２５と、連結金具２５の下面にビス２６，２７により締結された底板２８とから構成されている。
【００１２】
さらに、底板２８は、その中心部で連結ピン２９を介して、スタンド３１の中心上部に突設されたボス部３２に、水平方向の回動を可能に軸着されている。スタンド３１は、３本の金属製の脚を斜め下方へ放射状に延設して構成されている。この実施形態では、図８および図９に示される状態に組み立てられてから、底板２８をビス２６，２７により連結金具２５に締結すると、連結ピン２９がボス部３２から抜けないように螺着されているため、支持金具２１とスタンド３１とが互いの回動は可能であるものの、分離されることがない。すなわち、支持金具２１の部分に組み立てられた液晶テレビ（図示せず）を、移動のために持ち運びした場合に、スタンド３１が液晶テレビ１から落下することを防止できる効果が得られる。他の構成および作用は上述した第１の実施形態と、同一であるので、詳細な説明は省略する。
【産業上の利用可能性】
【００１３】
本発明は、液晶表示装置以外に、発熱する表示パネルと制御回路を備えたＰＤＰ、エレクトロ・ルミネッセンス・ディスプレイ、フィールド・エミッション・ディスプレイ等の薄型表示装置についても利用可能である。
【図面の簡単な説明】
【００１４】
【図１】本発明を液晶テレビに適用した第１の実施形態の縦断面図である。
【図２】図１からスタンドを除去した状態の縦断面図である。
【図３】図２の断面方向を９０度回転した縦断面図である。
【図４】図１の下面図である。
【図５】図１の支持金具を単体で示した上面図、正面図および下面図である。
【図６】図１の支持金具の回動範囲を示す側面図である。
【図７】図１の支持金具をスタンドに取り付けた状態を示す側面図である。
【図８】本発明を液晶テレビに適用した第２の実施形態における支持金具とスタンドの上面図、正面図および下面図である。
【図９】図８の支持金具およびスタンドを示す側面図である。
【符号の説明】
【００１５】
１  液晶テレビ
２  バックライト装置
３  液晶パネル
４  前キャビネット
５  後キャビネット
６  駆動回路部
７  支持金具
８  垂直支軸
９  スタンド
１１  垂直板
１１ａ  取付孔
１２，１３  水平支軸
１４  連結金具
１５  接続金具
２１  支持金具
２２  垂直板
２３，２４  水平支軸
２５  連結金具
２６，２７  ビス
２８  底板
２９  連結ピン
３１  スタンド
３２  ボス部
【図１】
2006235424.tif 000003
【図２】
2006235424.tif 000004
【図３】
2006235424.tif 000005
【図４】
2006235424.tif 000006
【図５】
2006235424.tif 000007
【図６】
2006235424.tif 000008
【図７】
2006235424.tif 000009
【図８】
2006235424.tif 000010
【図９】
2006235424.tif 000011